(57)【要約】【課題】軸組工法により新たに建築される住宅などの建物の構造躯体に対してサイディング板の割り付けを行い、各サイディング板の寸法および形状を決定してプレカットを可能にするための軸組工法におけるサイディングプレカット割付装置およびプログラム並びにサイディングプレカット割付方法の提供。【解決手段】  設計値記憶手段１ａに記憶された設計値データと、目地位置入力手段３により入力された目地の位置を記した採寸用図面を出力する採寸用図面出力手段５と、出力された採寸用図面の目地の位置を基準として現場において採寸された実寸法を入力する実寸法入力手段６と、設計値記憶手段１ａから取得した設計値データを実寸法入力手段６により入力された実寸法に基づいて修正し、自動割付手段４によりサイディング板の自動割り付けを再度実行することにより、サイディング板のプレカット寸法を決定するプレカット寸法決定手段７とを有する。【選択図】  図１
2006283390.tif 000002
【特許請求の範囲】
【請求項１】
軸組工法により建築する建物のサイディングを施工する面の柱、梁、桁および土台のそれぞれの設計位置および設計寸法と、各開口部の設計位置および設計寸法とを含む設計値データを記憶する設計値記憶手段と、
前記サイディングの施工に使用するサイディング板の長さ、働き幅および厚さと、前記サイディング板を固定するために前記柱、梁、桁および土台に取り付ける胴縁の厚さとを含む基準寸法データを記憶する基準寸法記憶手段と、
前記サイディングの目地の位置を入力する目地位置入力手段と、
前記設計値記憶手段から前記設計値データを取得し、前記基準寸法記憶手段から前記基準寸法データを取得し、前記設計値データに含まれる柱、梁および桁のそれぞれの設計位置および設計寸法と、前記設計値データに含まれる土台の設計位置および設計寸法から決定される前記サイディングの下端位置と、前記目地位置入力手段により入力された目地の位置と、前記基準寸法データに含まれるサイディング板の働き幅および厚さと、前記基準寸法データに含まれる胴縁の厚さとから、前記サイディング板を自動割り付けする自動割付手段と、
前記設計値記憶手段に記憶された設計値データと、前記目地位置入力手段により入力された目地の位置を記した採寸用図面を出力する採寸用図面出力手段と、
前記出力された採寸用図面の目地の位置を基準として現場において採寸された実寸法を入力する実寸法入力手段と、
前記設計値記憶手段から取得した設計値データを前記実寸法入力手段により入力された実寸法に基づいて修正し、前記自動割付手段により前記サイディング板の自動割り付けを再度実行することにより、前記サイディング板のプレカット寸法を決定するプレカット寸法決定手段と、
前記決定されたサイディング板のプレカット寸法を出力するプレカット寸法出力手段と
を有する軸組工法におけるサイディングプレカット割付装置。
【請求項２】
請求項１記載のサイディングプレカット割付装置としてコンピュータを機能させるための軸組工法におけるサイディングプレカット割付プログラム。
【請求項３】
軸組工法により建築する建物のサイディングを施工する面の柱、梁、桁および土台のそれぞれの設計位置および設計寸法と、各開口部の設計位置および設計寸法とを含む設計値データを記憶する工程、
前記サイディングの施工に使用するサイディング板の長さ、働き幅および厚さと、前記サイディング板を固定するために前記柱、梁、桁および土台に取り付ける胴縁の厚さとを含む基準寸法データを記憶する工程、
前記サイディングの目地の位置を入力する工程、
前記記憶された設計値データを取得し、前記記憶された基準寸法データを取得し、前記設計値データに含まれる柱、梁および桁のそれぞれの設計位置および設計寸法と、前記設計値データに含まれる土台の設計位置および設計寸法から決定される前記サイディングの下端位置と、前記入力された目地の位置と、前記基準寸法データに含まれるサイディング板の働き幅および厚さと、前記基準寸法データに含まれる胴縁の厚さとから、前記サイディング板を自動割り付けする工程、
前記記憶された設計値データと、前記入力された目地の位置を記した採寸用図面を出力する工程と、
前記出力された採寸用図面の目地の位置を基準として現場において採寸された実寸法を入力する工程と、
前記取得した設計値データを前記入力された実寸法に基づいて修正し、前記サイディング板の自動割り付けを再度実行することにより、前記サイディング板のプレカット寸法を決定する工程と、
前記決定されたサイディング板のプレカット寸法を出力する工程と
を含む軸組工法におけるサイディングプレカット割付方法。
【発明の詳細な説明】
【技術分野】
【０００１】
本発明は、軸組工法による住宅などの建物の構造躯体に対してサイディング板の割り付けを行い、プレカットするためのサイディングプレカット割付装置およびプログラム並びにサイディングプレカット割付方法に関する。
【背景技術】
【０００２】
住宅の外壁材としてサイディングが多く用いられている。サイディングは、外壁に張る乾式の板状の外装材の総称であり、セメント（窯業）系、セラミック系、金属系や合成樹脂系など多くの種類がある。サイディングはデザインが豊富で、比較的安価なため、多くの住宅の外壁として使用されている。
【０００３】
ところが、サイディング板は産業廃棄物に指定されており、建築現場で残材が発生した場合には、このサイディング板の残材処理費が必要となる。また、上述のように、サイディング板はデザインが様々であるため、建築現場で材料が不足した場合に代替品を使用することが不可能である。そのため、通常は必要量よりも多くのサイディング板を準備することになるので、特にこの残材処理費が高くなりやすい。
【０００４】
そこで、本出願人は、建築現場での残材を少なくするため、サイディング板のプレカット化を推進している。サイディング板をプレカットするためには、住宅の構造躯体の寸法および開口部の寸法をそれぞれ正確に割り出す必要がある。近年では住宅の設計をＣＡＤ（Computer Aided Design）システムにより行うので、このＣＡＤシステムに入力した各部寸法を利用すれば良いと思われるが、このＣＡＤシステムにより設計した住宅であっても、実際にその住宅が設計通りに施工されることはあり得ない。
【０００５】
ところで、床や壁などの構造体をパネルとして工場生産した後、現場に搬送し、組み立てるパネル工法により施工される住宅であれば、最新技術を導入した工場で生産されるため部材品質のばらつきが少なく、職人の技能に左右されにくいので施工むらは起こりにくい。パネル工法における壁パネルの割り付けを行うＣＡＤシステムとしては、例えば特許文献１〜４に記載のものが知られている。これらのＣＡＤシステムは全てＣＡＤシステムで設計した通りに住宅が施工されることを前提としたシステムである。
【０００６】
また、例えば特許文献５には、天井や壁などの面域を改修工事やリフォーム作業する場合において、まずパネルを取り付ける天井、壁などのユニット面域の形状、寸法等所定の面域情報と、ユニット面域に配置された設備の大きさ、形状、寸法、配設位置等所定の設備情報とからなる現場の測定情報を収集し、次いで当該測定情報をコンピュータに入力せしめて、コンピュータ解析によって配設すべき建築用パネルの枚数とこれらの配設位置を特定した所定の施工パターンに割り振りするシステムが開示されている。
【０００７】
【特許文献１】特開平７−２４９０６４号公報
【特許文献２】特開平８−１６１３６１号公報
【特許文献３】特開平８−１６１３８２号公報
【特許文献４】特開平８−１３７９１９号公報
【特許文献５】特開２００１−１９３２１４号公報
【発明の開示】
【発明が解決しようとする課題】
【０００８】
上記特許文献１〜４は、いずれも住宅の床や壁などの構造体をパネルとして工場生産した後、現場に搬送して組み立てるパネル工法において、各パネルを設計するためのシステムであって、前述のように設計通りに住宅が施工されることを前提としたシステムである。パネル工法は、工期が比較的短くて済み、職人の技能に左右されにくいが、外観のデザイン等が比較的制約されやすいので、住宅工法としては、やはり日本古来の伝統的な住宅建築工法である木造在来工法（軸組工法）が好まれている。
【０００９】
ところが、軸組工法では、施工者の腕次第で施工むらが起こる場合があり、ＣＡＤシステムにより設計を行っても、実際にその住宅が設計通りに施工されることはない。したがって、この軸組工法において施工される住宅の外壁材としてサイディングを採用しようとした場合に、ＣＡＤシステムにより設計を行い、その設計値に基づいてサイディング板の割り付けを行い、プレカットしたところで、現場では寸法通りに取り付けることができない。
【００１０】
一方、特許文献５のシステムは、天井や壁などのユニット面域上にパネルを固定するものであることから、パネルの固定位置については自由度が高く、この固定位置を考慮する必要はない。このシステムでは、天井や壁などのユニット面域上に所定の大きさのパネルをどのように配置するかを決めるだけであり、パネルの大きさを決定するものではない。このシステムでは、配置した所定の大きさのパネルがユニット面域に配置された設備に干渉する場合に、その干渉部分を切断加工するだけである。
【００１１】
軸組工法により新たに建築される住宅の構造躯体（骨組）に対してサイディング板を取り付ける場合、そのサイディング板の固定位置はその躯体の構造により制約される。したがって、特許文献５のように、パネルの固定位置を考慮することなく、またパネルの大きさについては所定の大きさのパネルを用いてその配置を決めるだけのシステムは、この軸組工法による住宅に施工するサイディング板を任意の大きさにプレカットするシステムには利用できない。
【００１２】
そこで、本発明においては、軸組工法により新たに建築される住宅などの建物の構造躯体に対してサイディング板の割り付けを行い、各サイディング板の寸法および形状を決定してプレカットを可能にするための軸組工法におけるサイディングプレカット割付装置およびプログラム並びにサイディングプレカット割付方法を提供することを目的とする。
【課題を解決するための手段】
【００１３】
本発明の軸組工法におけるサイディングプレカット割付装置は、軸組工法により建築する建物のサイディングを施工する面の柱、梁、桁および土台のそれぞれの設計位置および設計寸法と、各開口部の設計位置および設計寸法とを含む設計値データを記憶する設計値記憶手段と、サイディングの施工に使用するサイディング板の長さ、働き幅および厚さと、サイディング板を固定するために柱、梁、桁および土台に取り付ける胴縁の厚さとを含む基準寸法データを記憶する基準寸法記憶手段と、サイディングの目地の位置を入力する目地位置入力手段と、設計値記憶手段から設計値データを取得し、基準寸法記憶手段から基準寸法データを取得し、設計値データに含まれる柱、梁および桁のそれぞれの設計位置および設計寸法と、設計値データに含まれる土台の設計位置および設計寸法から決定されるサイディングの下端位置と、目地位置入力手段により入力された目地の位置と、基準寸法データに含まれるサイディング板の働き幅および厚さと、基準寸法データに含まれる胴縁の厚さとから、サイディング板を自動割り付けする自動割付手段と、設計値記憶手段に記憶された設計値データと、目地位置入力手段により入力された目地の位置を記した採寸用図面を出力する採寸用図面出力手段と、出力された採寸用図面の目地の位置を基準として現場において採寸された実寸法を入力する実寸法入力手段と、設計値記憶手段から取得した設計値データを実寸法入力手段により入力された実寸法に基づいて修正し、自動割付手段によりサイディング板の自動割り付けを再度実行することにより、サイディング板のプレカット寸法を決定するプレカット寸法決定手段と、決定されたサイディング板のプレカット寸法を出力するプレカット寸法出力手段とを有するものである。
【００１４】
本発明の軸組工法におけるサイディングプレカット割付プログラムは、コンピュータを、上記サイディングプレカット割付装置として機能させるためのものである。
【００１５】
本発明の軸組工法におけるサイディングプレカット割付方法は、軸組工法により建築する建物のサイディングを施工する面の柱、梁、桁および土台のそれぞれの設計位置および設計寸法と、各開口部の設計位置および設計寸法とを含む設計値データを記憶する工程、サイディングの施工に使用するサイディング板の長さ、働き幅および厚さと、サイディング板を固定するために柱、梁、桁および土台に取り付ける胴縁の厚さとを含む基準寸法データを記憶する工程、サイディングの目地の位置を入力する工程、記憶された設計値データを取得し、記憶された基準寸法データを取得し、設計値データに含まれる柱、梁および桁のそれぞれの設計位置および設計寸法と、設計値データに含まれる土台の設計位置および設計寸法から決定されるサイディングの下端位置と、入力された目地の位置と、基準寸法データに含まれるサイディング板の働き幅および厚さと、基準寸法データに含まれる胴縁の厚さとから、サイディング板を自動割り付けする工程、記憶された設計値データと、入力された目地の位置を記した採寸用図面を出力する工程と、出力された採寸用図面の目地の位置を基準として現場において採寸された実寸法を入力する工程と、取得した設計値データを入力された実寸法に基づいて修正し、サイディング板の自動割り付けを再度実行することにより、サイディング板のプレカット寸法を決定する工程と、決定されたサイディング板のプレカット寸法を出力する工程とを含む。
【００１６】
本発明によれば、サイディングの目地の位置を入力することで、サイディング板の自動割り付けが行われ、入力された目地の位置が記された採寸用図面が出力される。そして、この採寸用図面の目地の位置を基準として現場において実寸法の採寸を行い、この実寸法をさらに入力することで、設計値データがこの入力された実寸法により修正され、サイディング板の自動割り付けが再度行われ、サイディング板のプレカット寸法が決定され、出力される。
【発明の効果】
【００１７】
本発明によれば、軸組工法により新たに建築される住宅などの建物の構造躯体に対してサイディング板の割り付けを行い、各サイディング板の寸法および形状を決定してプレカットすることが可能となる。これにより、建築現場においてサイディング板をカットする必要がなくなり、カット時の騒音および粉塵の問題がなくなり、現場で発生するゴミの量を減らすことも可能となる。また、無駄なサイディング板を準備する必要がなくなるので、コストを下げることが可能となる。さらに、現場ではプレカットされたサイディング板を単に貼り付けるだけでよいので、工期を短縮することができる。
【発明を実施するための最良の形態】
【００１８】
図１は本発明の実施の形態におけるサイディングプレカット割付装置の構成を示すブロック図である。なお、本発明の実施の形態におけるサイディングプレカット割付装置は、キーボード、ポインティングデバイス等の入力装置、ディスプレイ等の表示装置や、プリンタ等の印刷装置などを備えたコンピュータ上で、サイディングプレカット割付プログラムを実行することにより実現される。
【００１９】
図１において、本実施形態におけるサイディングプレカット割付装置は、軸組工法により建築する建物の柱、梁、桁および土台のそれぞれの設計位置および設計寸法と、各開口部の設計位置および設計寸法とを含む設計値データを記憶する設計値記憶手段１ａと、サイディングの施工に使用するサイディング板の長さ、働き幅および厚さや、サイディング板を固定するために柱、梁、桁および土台に取り付ける胴縁の厚さ等の基準寸法データを記憶する基準寸法記憶手段１ｂと、サイディング板の割り付け結果を記憶する割付結果記憶手段１ｃとを有する。
【００２０】
また、本実施形態におけるサイディングプレカット割付装置は、軸組工法により建築する建物の各種設計データを入力するためのＣＡＤ入力手段２を備える。設計値記憶手段１ａおよび基準寸法記憶手段１ｂにそれぞれ記憶されるデータは、このＣＡＤ入力手段２により直接入力されるか、あるいは入力された各種設計データに基づいて自動的に算出される。ＣＡＤ入力手段２としては、例えば、本出願人が先に出願した特願２００３−３９７０６６号の意匠データ入力装置等を利用することができる。なお、ＣＡＤ入力手段２は、本発明のサイディングプレカット割付装置に必須ではなく、他のＣＡＤ装置により入力されたデータを読み込んで記憶させる構成とすることも可能である。
【００２１】
また、本実施形態におけるサイディングプレカット割付装置は、サイディングの目地の位置を入力する目地位置入力手段３と、設計値記憶手段１ａから設計値データを取得し、基準寸法記憶手段１ｂから基準寸法データを取得し、設計値データに含まれる柱、梁および桁のそれぞれの設計位置および設計寸法と、設計値データに含まれる土台の設計位置および設計寸法から決定されるサイディングの下端位置と、目地位置入力手段３により入力された目地の位置と、基準寸法データに含まれるサイディング板の働き幅および厚さと、基準寸法データに含まれる胴縁の厚さとから、サイディング板を自動割り付けする自動割付手段４とを有する。
【００２２】
なお、自動割付手段４は、サイディング板の自動割り付けの状態を随時表示装置上へ表示する。ユーザは、この表示装置上へ表示されるサイディング板の自動割り付けの状態を見ながら、目地位置入力手段３により目地の位置を適宜入力することにより、サイディング板の目地の位置を変更することができる。自動割付手段４は、この目地位置入力手段３により入力されるサイディングの目地の位置に応じて自動的にサイディング板の再自動割り付けを行う。自動割付手段４は、自動割り付けの結果を割付結果記憶手段１ｃに記憶する。なお、サイディング板の自動割り付けの状態は、必要に応じて印刷装置により印刷することも可能である。
【００２３】
また、本実施形態におけるサイディングプレカット割付装置は、設計値記憶手段１ａに記憶された設計値データと、目地位置入力手段３により入力された目地の位置を記した採寸用図面を出力する採寸用図面出力手段５を有する。採寸用図面には、ＣＡＤ入力手段３により入力された各種設計データに基づいて建物のサイディングを貼る面の意匠図面（例えば、建物の立面図）と、設計値データと、目地の位置とが記される。
【００２４】
また、本実施形態におけるサイディングプレカット割付装置は、採寸用図面出力手段５により出力された採寸用図面の目地の位置を基準として現場において採寸された実寸法を入力する実寸法入力手段６を有する。前述のように、ユーザは自動割付手段４によるサイディング板の自動割り付けの状態を表示装置上で確認しながら、目地位置入力手段３により目地の位置を決定するので、採寸用図面にはこの決定された目地の位置が記されている。そして、ユーザは、この採寸用図面に記されている目地の位置を基準として、現場においてサイディングを施工する面の柱、梁、桁および土台のそれぞれの実際の位置および法や、各開口部の実際の位置および寸法等を採寸し、実寸法入力手段６により入力することができる。なお、上記のＣＡＤ入力手段２、目地位置入力手段３および実寸法入力手段６は、キーボードやポインティングデバイス等の入力装置により各データを入力することが可能である。
【００２５】
また、本実施形態におけるサイディングプレカット割付装置は、設計値記憶手段１ａから取得した設計値データを実寸法入力手段６により入力された実寸法に基づいて修正し、自動割付手段４によりサイディング板の自動割り付けを再度実行することにより、サイディング板のプレカット寸法を決定するプレカット寸法決定手段７と、この決定されたサイディング板のプレカット寸法を出力するプレカット寸法出力手段８とを有する。
【００２６】
プレカット寸法出力手段８としては、表示装置、印刷装置や、フレキシブルディスク、不揮発性メモリ、光ディスク等の外部記憶装置等である。なお、外部記憶装置に出力した場合には、この外部記憶装置を介してプレカット装置へプレカット寸法を入力し、プレカット装置によりサイディング板を自動プレカットすることが可能となる。また、プレカット寸法出力手段８から通信ネットワークを通じてプレカット装置へプレカット寸法を伝送することも可能である。
【００２７】
次に、上記構成のサイディングプレカット割付装置を用いたサイディング施工手順について、図２のフロー図に従って説明する。
【００２８】
（ステップＳ１）
軸組工法により建築する建物の各種設計データをＣＡＤ入力手段２により入力する。例えば、ユーザは、ＣＡＤ入力手段２により図３に示すような各階の平面図等の入力を行う。この平面図等の入力は、窓やドア等の各開口部の位置や寸法等の入力を含めて行う。ＣＡＤ入力手段２は、この入力された各種設計データに基づいて、建物の柱、梁、桁および土台のそれぞれの設計位置および設計寸法と、各開口部の設計位置および設計寸法とを含む設計値データを算出し、設計値記憶手段１ａへ記憶する。
【００２９】
また、ユーザは、予め、この建物のサイディングの施工に使用するサイディング板の長さ、働き幅および厚さを含む基準寸法データを入力する。この基準寸法データは、各メーカより市販されている規格品のサイディング板のものである。なお、働き幅とは、サイディング板の全幅寸法から重ね幅寸法を減じた寸法である。入力された基準寸法データは、基準寸法記憶手段１ｂに記憶される。また、ユーザは、このサイディング板を固定するために柱、梁、桁および土台に取り付ける胴縁の厚さを含む基準寸法データを入力する。入力された基準寸法データは、基準寸法記憶手段１ｂに記憶される。
【００３０】
（ステップＳ２）
目地位置入力手段３によりサイディングの目地の位置を入力する。目地の位置の入力は、図４の（ａ）〜（ｄ）に示すようなサイディングを施工する各面の立面図上で行う。この立面図は、前述のステップＳ１においてＣＡＤ入力手段２により入力されたものである。入力された目地の位置は、設計値データとして設計値記憶手段１ａへ記憶される。目地の位置は、基本的にはサイディングを施工する面に配置されている柱、梁または桁の位置に合わせる（これらは、開口部の周りには必ず配置されている。）が、この位置に限られない。なお、図示しないが、立面図上には柱、梁および桁の位置が表示される。また、柱、梁または桁が配置されていない位置に目地を設ける場合には、後述のように胴縁を取り付けるようにする。
【００３１】
（ステップＳ３）
ここで、自動割付手段４は、設計値記憶手段１ａから設計値データを取得し、基準寸法記憶手段１ｂから基準寸法データを取得し、設計値データに含まれるサイディングを施工する面の柱、梁および桁のそれぞれの設計位置および設計寸法と、設計値データに含まれる土台の設計位置および設計寸法から決定されるサイディングの下端位置と、目地位置入力手段３により入力された目地の位置と、基準寸法データに含まれるサイディング板の働き幅および厚さと、基準寸法データに含まれる胴縁の厚さとから、サイディング板を自動割り付けする。
【００３２】
自動割り付けは、図５に示すように、例えば、土台１０の天端位置１０ａから所定幅（土台１０に取り付けられる水切りとしての土台水切り金物１１の取り付け位置を考慮して予め設定される。図示例では、土台１０に取り付けられた土台水切り金物１１の土台側面から斜め下方へ下がり始める位置から１０ｍｍ上がった位置までの幅としている。この幅は各メーカの土台水切り金物１１の寸法および取付位置に基づいて予め設定される。）下がった位置を、サイディングを施工する面の最も下に配置されるサイディング板１２の下端位置（スタート位置）とし、このスタート位置から順次上に並べて貼り付けていくサイディング板１２の貼り付け基準位置をサイディング板１２の働き幅により積算していく。
【００３３】
また、この自動割り付けは、図５に示すように、サイディング板１２を固定するために柱２０、梁（図示せず。）、桁（図示せず。）および土台１０に取り付けられる胴縁１３の厚さを考慮して行われる。特に、建物の角部においては、図６（ａ）の建物の角部の水平断面図に示すように、柱２０の位置および寸法に対して胴縁１３の厚さ分だけサイディング板１２が外側に取り付けられるので、この胴縁１３の厚さ分を考慮して自動割り付けを行うことが重要である。
【００３４】
また、この角部に対しては、図６（ｂ）の斜視図に示すようにＬ型の特殊なサイディング板１４が用いられるので、この特殊なサイディング板１４の長さ、働き幅や厚さ等の各部寸法についても、基準寸法データとして基準寸法記憶手段１ｂに記憶され、自動割付手段４による自動割り付け処理に利用される。なお、角部の柱２０には、この角部のサイディング板１４の下地として胴縁１３と同じ厚さの胴縁１５が取り付けられる。
【００３５】
また、目地位置入力手段３により入力された目地の位置および建物の角部の目地の位置に、図６（ｃ）の斜視図に示すような目地用金物１６が挿入される場合、この目地用金物１６の目地部１６ａの幅寸法についても予め基準寸法データとして基準寸法記憶手段１ｂに記憶しておく。そして、自動割付手段４により、目地用金物１６の目地部１６ａの寸法を考慮してサイディング板１２の割り付けを行う。こうして自動割付手段４により自動割り付けされた結果は、割付結果記憶手段１ｃに記憶され、プレカット寸法出力手段８により出力される。
【００３６】
（ステップＳ４）
次に、採寸用図面出力手段５は、設計値記憶手段１ａに記憶された設計値データと、目地位置入力手段３により入力された目地の位置とを記した採寸用図面を出力する。図７は採寸用図面の例を示している。採寸用図面には、建物の立面図（各開口部等を含む）と、この立面図上に設計値データの柱、梁および桁の位置、目地の位置の他、サイディング板を貼るスタート位置が記されている。
【００３７】
（ステップＳ５）
ユーザは、建物の施工現場において、採寸用図面の目地の位置に墨付けを行い、目地と目地の間の寸法、目地の位置を基準とする開口部までの寸法等を測り、この採寸用図面上に採寸された実寸法を記入する。なお、採寸用図面の目地位置を示す線の左右に記されている数値は、墨付けした目地の位置からサイディング板までの距離（目地幅の取り方）を表している。
【００３８】
（ステップＳ６）
次に、この採寸した実寸法を実寸法入力手段６により入力する。
（ステップＳ７）
プレカット寸法決定手段７は、設計値記憶手段１ａから取得した設計値データを実寸法入力手段６により入力された実寸法に基づいて修正し、自動割付手段４によりサイディング板の自動割り付けを再度実行することにより、サイディング板のプレカット寸法を決定する。この決定されたプレカット寸法は、割付結果記憶手段１ｃに記憶され、プレカット寸法出力手段８により出力される。図８はプレカット寸法出力手段８により出力される割付図である。
【００３９】
（ステップＳ８）
そして、この決定されたプレカット寸法（割付図）に基づいてプレカット装置により自動的にサイディング板の板取りが決定され、工場においてサイディング板がプレカット加工される。
（ステップＳ９）
このプレカット加工されたサイディング板は、建築現場に持ち込まれ、図８の割付図に従って建物に貼り付けられる。
【００４０】
以上のように、本実施形態におけるサイディングプレカット割付装置を用いれば、サイディングの目地の位置を入力することで、サイディング板の自動割り付けが行われ、入力された目地の位置が記された採寸用図面が出力される。そして、この採寸用図面の目地の位置を基準として現場において実寸法の採寸を行い、この実寸法をさらに入力することで、設計値データがこの入力された実寸法により修正され、サイディング板の自動割り付けが再度行われ、サイディング板のプレカット寸法が決定され、出力される。
【００４１】
したがって、本実施形態におけるサイディングプレカット割付装置を用いることで、軸組工法により新たに建築される住宅などの建物の構造躯体に対してサイディング板の割り付けを行い、各サイディング板の寸法および形状を決定してプレカットすることが可能となる。これにより、建築現場においてサイディング板をカットする必要がなくなり、カット時の騒音および粉塵の問題がなくなり、現場で発生するゴミの量を減らすことも可能となる。また、無駄なサイディング板を準備する必要がなくなるので、コストを下げることが可能となる。さらに、現場ではプレカットされたサイディング板を単に貼り付けるだけでよいので、工期を短縮することができる。
【産業上の利用可能性】
【００４２】
本発明は、軸組工法による住宅などの建物の構造躯体に対してサイディング板の割り付けを行い、プレカットするためのサイディングプレカット割付装置およびプログラム並びにサイディングプレカット割付方法として有用である。
【図面の簡単な説明】
【００４３】
【図１】本発明の実施の形態におけるサイディングプレカット割付装置の構成を示すブロック図である。
【図２】本発明の実施の形態におけるサイディングプレカット割付装置を用いたサイディング施工手順を示すフロー図である。
【図３】入力する平面図の例を示す図である。
【図４】サイディングを施工する各面の立面図を示す図である。
【図５】建物の土台近傍の自動割り付けの説明図である。
【図６】建物の角部の自動割り付けの説明図である。
【図７】採寸用図面の例を示す図である。
【図８】割付図の例を示す図である。
【符号の説明】
【００４４】
１ａ  設計値記憶手段
１ｂ  基準寸法記憶手段
１ｃ  割付結果記憶手段
２  ＣＡＤ入力手段
３  目地位置入力手段
４  自動割付手段
５  採寸用図面出力手段
６  実寸法入力手段
７  プレカット寸法決定手段
８  プレカット寸法出力手段
１０  土台
１１  土台水切り金物
１６  目地用金物
１６ａ  目地部
１２，１４  サイディング板
１３，１５  胴縁
２０  柱
【図１】
2006283390.tif 000003
【図２】
2006283390.tif 000004
【図３】
2006283390.tif 000005
【図４】
2006283390.tif 000006
【図５】
2006283390.tif 000007
【図６】
2006283390.tif 000008
【図７】
2006283390.tif 000009
【図８】
2006283390.tif 000010